(57)【要約】【課題】テスト用ソフトウェアの管理や取り扱いを容易にする。【解決手段】所定の規格に準拠した少なくとも、光ディスク、光ディスクの記録再生をする記録再生装置５０を含む記録再生システムに関するテスト用ソフトウェアとこのテスト用ソフトウェアを暗号化した暗号キーとを関連づけて記憶部２３に格納して登録する登録部２２と、メーカ装置３０やテストセンタ装置４０からの要求に応じて、メーカ装置３０やテストセンタ装置４０にテスト用ソフトウェア及び上記暗号キーを送信する送信部とを備える。【選択図】図２
2010026652.tif 000002
【特許請求の範囲】
【請求項１】
所定の規格に準拠した少なくとも、記録媒体、この記録媒体の記録及び／又は再生をする記録及び／又は再生装置を含む記録及び／又は再生システムに関するテスト用ソフトウェアとこのテスト用ソフトウェアを暗号化した暗号キーとを関連づけて記憶部に格納して登録する登録部と、
外部機器からの要求に応じて、該外部機器に上記テスト用ソフトウェア及び上記暗号キーを送信する送信部と
を備える管理装置。
【請求項２】
更に、上記テスト用ソフトウェアでテストされたテスト結果データを上記外部機器から受信する受信部と、
上記受信部で受信したテスト結果データを蓄積する蓄積部と
を備える請求項１記載の管理装置。
【請求項３】
更に、上記テスト用ソフトウェアの更新データを上記記憶部に格納し、
上記送信部は、所定期間内において、上記更新データを上記外部機器に送信する
請求項２記載の管理装置。
【請求項４】
所定の規格に準拠した少なくとも、記録媒体、この記録媒体の記録及び／又は再生をする記録及び／又は再生装置を含む記録及び／又は再生システムに関するテスト用ソフトウェアとこのテスト用ソフトウェアを暗号化した暗号キーとを関連づけて記憶部に格納して登録するステップと、
外部機器からの要求に応じて、該外部機器に上記テスト用ソフトウェア及び上記暗号キーを送信するステップと
を有する送受信方法。
【発明の詳細な説明】
【技術分野】
【０００１】
本発明は、所定の規格に準拠した少なくとも、記録媒体、この記録媒体の記録及び／又は再生をする記録及び／又は再生装置を含む記録及び／又は再生システムに関するテスト用ソフトウェアの管理装置及び送受信方法に関する。
【背景技術】
【０００２】
現在、ブルーレイディスク（Blu-ray Disc）と言った記録媒体の記録再生システムでは、記録媒体やこの記録媒体の記録再生装置等の対応製品がフォーマットに適合したものであるか、すなわちFormat Compliantであるかを調べる所謂検査（Verification）作業を行うためのソフトウェア、すなわちテストツールが光ディスクと言った記録媒体に格納された状態で発行、売買され配布されている。このテストツールは、通常、ＢＤＡ（the Blu-ray Disc Association）と言った管理機関が管理しており、記録再生システムを製造するメーカやテストセンタ等の公的検査機関に対して、光ディスクと言った記録媒体に格納された状態で配布される。このため、テストツールがバージョンアップされたときには、メーカやテストセンタにおいて、バージョンアップする必要があり、また、テストツールの種類も多く、その管理が面倒なものとなっていた。具体的には、メーカの部署間でテストツールの貸し借りをする必要があったり、テストツールの光ディスクが紛失したりして管理が煩雑なものとなっていた。
【０００３】
図６は、従来の記録再生システムのテストシステムを示す図である。管理機関１０１は、フォーマット毎のテスト用ソフトウェアを管理しており、記録再生システムのライセンス管理を行うライセンス機関１０２のホームページ１０２ａに、テスト用ソフトウェアの情報、例えばテスト用ソフトウェアのバージョンアップの情報、不具合を解決するためのパッチファイルの情報等のテストツール情報を提供する。そして、ライセンス機関１０２のホームページ１０２ａでは、テストツール情報を公表する。
【０００４】
このホームページの内容は、記録再生システムを製造するメーカ１０３やテストセンタ１０４の担当者等が端末装置を操作して確認をする。そして、メーカ１０３やテストセンタ１０４の担当者等は、自分に該当する更新があったとき、管理機関１０１に対して注文、支払いを行い、管理機関１０１は、これに応じて、バージョンアップ等された新しい管理用ソフトウェアを光ディスクに格納してメーカ１０３やテストセンタ１０４に納入する。
【０００５】
例えば、メーカ１０３では、代表部１０３ａで、バージョンアップされたテスト用ソフトウェアの注文を行って、テスト用ソフトウェアが格納された光ディスクが納品されると、この光ディスクを、記録再生システムに関連する第１の部署１０３ｂや第２の部署１０３ｃに貸し渡しする。
【０００６】
記録再生システムのテストは、先ず、メーカ１０３において、テスト用ソフトウェアを用いてセルフテストを行い、このテスト結果を、テストセンタ１０４に提供し、テスト結果の確認テストを行う。そして、テストセンタ１０４は、その結果を、ライセンス機関１０２に提供し、ライセンス機関１０２は、合格のとき、合格通知を、メーカ１０３に提供する。
【０００７】
以上のように、従来の記録再生システムのテストシステムでは、メーカ１０３やテストセンタ１０４が管理機関１０１から光ディスクの形態でテスト用ソフトウェアを受け取り、更に、メーカ１０３は社内の関連部署で貸し借りを行ったりする必要があり、テスト用ソフトウェアの管理が非常に面倒なものになっている。
【０００８】
【特許文献１】特開２００２−２１５６６５号公報
【発明の開示】
【発明が解決しようとする課題】
【０００９】
本発明は、以上のような課題に鑑みてなされたものであり、テスト用ソフトウェアの管理や取り扱いを容易にすることができる管理装置及び送受信方法を提供することを目的とする。
【課題を解決するための手段】
【００１０】
本発明に係る管理装置は、所定の規格に準拠した少なくとも、記録媒体、この記録媒体の記録及び／又は再生をする記録及び／又は再生装置を含む記録及び／又は再生システムに関するテスト用ソフトウェアとこのテスト用ソフトウェアを暗号化した暗号キーとを関連づけて記憶部に格納して登録する登録部と、外部機器からの要求に応じて、該外部機器に上記テスト用ソフトウェア及び上記暗号キーを送信する送信とを備える。
【００１１】
本発明に係る送受信方法は、所定の規格に準拠した少なくとも、記録媒体、この記録媒体の記録及び／又は再生をする記録及び／又は再生装置を含む記録及び／又は再生システムに関するテスト用ソフトウェアとこのテスト用ソフトウェアを暗号化した暗号キーとを関連づけて記憶部に格納して登録するステップと、外部機器からの要求に応じて、該外部機器に上記テスト用ソフトウェア及び上記暗号キーを送信するステップとを有する。
【発明の効果】
【００１２】
本発明によれば、所定の規格に準拠した少なくとも、記録媒体、この記録媒体の記録及び／又は再生をする記録及び／又は再生装置を含む記録及び／又は再生システムに関するテスト用ソフトウェアとこのテスト用ソフトウェアを暗号化した暗号キーとを関連づけて記憶部に格納して登録し、外部機器からの要求に応じて、外部機器にテスト用ソフトウェア及び暗号キーを送信するようにしたので、メーカやテストセンタにおいて、テスト用ソフトウェアの管理や取り扱いを容易にすることができる。
【発明を実施するための最良の形態】
【００１３】
以下、本発明が適用されたブルーレイディスク（the Blu-ray Disc）の記録再生システムに用いられるテスト用ソフトウェアを用いたテストシステムについて、図面を参照して説明する。
【００１４】
図１に示すように、本発明が適用されたテスト用ソフトウェアのテストシステム１は、ＢＤＡ（the Blu-ray Disc Association）と言った管理機関が管理する管理機関装置１０と、ブルーレイディスクの記録再生システムのライセンス管理を行うライセンス管理機関が管理する管理装置２０と、記録再生システムを製造するメーカが管理するメーカ装置３０と、メーカでのセルフテストを確認する確認テストを行うテストセンタが管理するテストセンタ装置４０とを備えている。そして、管理機関装置１０、管理装置２０、メーカ装置３０、テストセンタ装置４０は、互いにネットワーク２によって接続されている。本発明が適用されたテスト用ソフトウェアのテストシステム１では、従来と異なり、テスト用ソフトウェアを、電子データでライセンス機関が管理する管理装置２０に保存しておき、メーカ装置３０やテストセンタ装置４０が適宜ダウンロードできるようにしている。
【００１５】
管理機関が管理する管理機関装置１０は、通常のコンピュータと同様な構成を有する装置であって、ＲＯＭ（Read Only Memory）、ＲＡＭ（Random Access Memory）、ＣＰＵ（Central Processing Unit）と言ったユニットで構成されている。この管理機関装置１０では、新たにテスト用ソフトウェアが作成されると、このテスト用ソフトウェアを、ライセンス機関が管理する管理装置２０にネットワーク２を介して送信する。また、管理機関装置１０は、テスト用ソフトウェアの更新データとなるテスト用ソフトウェアのバージョンアップや不具合を直すためのパッチファイルも、管理装置２０にネットワーク２を介して送信する。
【００１６】
ライセンス機関が管理する管理装置２０も、通常のコンピュータと同様な構成を有する装置であって、ＲＯＭ、ＲＡＭ、ＣＰＵと言ったユニットで構成されている。この管理装置２０は、図２に示すように、管理機関装置１０と通信を行う第１の通信部２１と、第１の通信部２１で受信したテスト用ソフトウェア等を登録する登録部２２と、登録部２２で登録するテスト用ソフトウェア等を格納する記憶部２３とを備える。また、管理装置２０は、メーカ装置３０やテストセンタ装置４０と通信を行う第２の通信部２４と、テストセンタ装置４０から送信されたテスト結果データを格納する格納部２５と、テスト結果データに基づく合否判定を行う判定部２６を備えている。
【００１７】
第１の通信部２１は、管理機関装置１０と通信を行い、管理機関装置１０からテスト用ソフトウェアやバージョンアップや不具合を直すためのパッチファイルが送信されたとき、これらを受信する。また、第１の通信部２１は、テスト用ソフトウェアやパッチファイルが管理装置２０に登録されたとき、登録番号等を管理装置２０に送信する。
【００１８】
登録部２２は、管理機関装置１０から新たなテスト用ソフトウェアを第１の通信部２１で受信すると、当該テスト用ソフトウェアやパッチファイルの登録番号を生成し、この登録番号に関連づけて受信したテスト用ソフトウェアやパッチファイルを大容量ハードディスクドライブ等で構成された記憶部２３に格納する。この際、登録部２２は、テスト用ソフトウェアやパッチファイルをメーカ装置３０やテストセンタ装置４０からの要求に応じてメーカ装置３０やテストセンタ装置４０にテスト用ソフトウェアやパッチファイルを暗号化して送信する。登録部２２は、この暗号を復号する暗号キーもテスト用ソフトウェアやパッチファイルに関連づけて記憶部２３に格納する。これにより、テスト用ソフトウェアやパッチファイルは登録済みとなり、この後、登録部２２は、ホームページ上に、テスト用ソフトウェアやパッチファイルがダウンロード可能になったことを告知する。
【００１９】
なお、テスト用ソフトウェアやパッチファイルは、記憶部２３に、暗号キーで暗号化した状態で格納するようにしてもよく、また、メーカ装置３０やテストセンタ装置４０に送信するときに、暗号キーで暗号化するようにしてもよい。
【００２０】
第２の通信部２４は、メーカ装置３０やテストセンタ装置４０と通信を行い、メーカ装置３０やテストセンタ装置４０からテスト用ソフトウェアやパッチファイルのダウンロード要求を受信したとき、要求に応じたテスト用ソフトウェアやパッチファイルや暗号キーを要求のあったメーカ装置３０やテストセンタ装置４０に対して送信する。
【００２１】
格納部２５は、大容量ハードディスクドライブ等で構成され、記録再生システムのテスト結果データを格納する。すなわち、上述のように、テスト用ソフトウェアは、メーカとテストセンタで用いられるものであって、メーカは、先ず、テスト用ソフトウェアでセルフテストを行い、次いで、テストセンタに対してセルフテストのテスト結果データを渡し、テストセンタは、メーカから渡されたセルフテストのテスト結果データの確認テストを行う。従来、テストセンタは、確認テストの結果、すなわちフォーマットに合格か不合格かの結果をライセンス機関に対して報告をしていた。ここでは、テストセンタ装置４０は、確認テストの結果だけでなくテストの結果のデータ、すなわちテスト結果データを、ネットワーク２を介して管理装置２０に送信するようにしている。管理装置２０の格納部２５では、テストセンタ装置４０から送信されたテスト結果データを格納部２５に格納するようにし、テスト結果データを管理するようにしている。そして、判定部２６は、テストセンタ装置４０から送信されたテスト結果データが所定の規格の条件を満たしているかどうかを判定する。
【００２２】
また、管理装置２０は、期間管理部２７を設けてもよい。この期間管理部２７は、所定期間内、所定のメーカ装置３０やテストセンタ装置４０からのダウンロード要求に応じてテスト用ソフトウェアやパッチファイルを要求のあったメーカ装置３０やテストセンタ装置４０に送信する。例えば、期間管理部２７は、メーカやテストセンタがライセンスとリース契約を結んでいるとき、契約の期間内に限って、テスト用ソフトウェアやパッチファイルを無料又は低額でダウンロードできるようにする。
【００２３】
メーカ装置３０やテストセンタ装置４０は、図３に示すように、ライセンス機関１０２が管理する管理装置２０と通信を行う通信部３１と、テスト用ソフトウェアやパッチファイルの暗号を復号する暗号復号部３２と、暗号を復号したテスト用ソフトウェアやパッチファイルを保存するメモリ３３とを備えている。
【００２４】
通信部３１は、管理装置２０の第２の通信部２４と通信を行い、管理装置２０に対して、テスト用ソフトウェアやパッチファイルのダウンロード要求を送信する共に、管理装置２０から送信された要求に応じたテスト用ソフトウェアやパッチファイルを受信する。また、テストセンタ装置４０の通信部３１では、管理装置２０に対してテスト用ソフトウェアを用いた確認テストのテスト結果データを管理装置２０に対して送信する。
【００２５】
暗号復号部３２は、管理装置２０より暗号化されたテスト用ソフトウェアやパッチファイルをダウンロードした際に、暗号キーもダウンロードし、ダウンロードした暗号キーを用いて暗号化されているテスト用ソフトウェアやパッチファイルの暗号を復号する。
【００２６】
メモリ３３は、ハードディスクドライブや半導体メモリであり、暗号が復号されたテスト用ソフトウェアやパッチファイルを保存する。メモリ３３に格納されたテスト用ソフトウェアやパッチファイルは、メーカやテストセンタ内のＬＡＮ等のネットワークを介して実際にセルフテストや確認テストを行うコンピュータや光ディスクの記録再生装置等のテスト装置に配信される。
【００２７】
ここで、図４を用いて、セルフテストや確認テストがされる記録再生装置５０について説明すると、この記録再生装置５０は、ＣＤ（Compact Disc）、ＤＶＤ（Digital Versatile Disk）、ＢＤ（Blu-ray Disc）と言った光ディスクに対してデータを記録すると共に光ディスクに記録されたデータの読み出しを行う光ディスクドライブ５１と、テスト用ソフトウェアがロードされるメモリ５２と、全体の動作を制御する制御部５３とを備える。
【００２８】
光ディスクドライブ５１は、光ディスクを回転するディスクテーブル、光ディスクに対して光ビームを照射し反射された戻りの光ビームを検出する光ピックアップ等を備えている。そして、光ディスクドライブ５１は、光ディスクが装着されると、光ディスクの種類を検出し、種類に応じて光ディスクを回転すると共に所定の波長の光ビームを照射することによって、光ディスクに対してデータを記録し、又は、光ディスクに記録されているデータの読み出しを行う。
【００２９】
制御部５３は、光ディスクの記録及び／又は再生を行う制御プログラム等に従って光ディスクドライブ５１等を制御し、記録するデータに対してエラー訂正符号化処理や変調処理を施して記録データを生成し、この記録データに応じて光ピックアップの半導体レーザを駆動してデータを光ディスクに記録する。また、制御部５３は、光ピックアップで光ディスクより記録データを読み出すと、読み出したデータを復調し、更にエラー訂正処理を施して再生データを生成する。
【００３０】
メモリ５２は、例えばワークメモリであり、メーカ装置３０やテストセンタ装置４０からテスト用ソフトウェアをダウンロードしてロードされると、制御部５３は、テスト用ソフトウェアに従って光ディスクの記録再生動作のテストを行う。
【００３１】
例えば、ブルーレイディスクには、ＲＥ（Rewritable）、Ｒ（Recordable）、ＲＯＭ（Read Only Memory）の規格があり、更に、ＡＡＣＳ（Advanced Access Content System）と言った著作権保護の規格があり、それぞれの規格についてのバージョンアップ等が行われる。テスト用ソフトウェアは、それぞれの規格に対応するように作成する必要があり、それぞれの規格においてバージョンアップが行われたときには、そのバージョンアップに対応したものにする必要がある。一方、メーカも、規格がバージョンアップされたときには、バージョンアップされた内容で記録再生装置５０、光ディスク等の記録再生システムのハードウェアを製造することになり、メーカやテストセンタは、バージョンアップに対応した記録再生装置等のハードウェアに対しては、バージョンアップに対応したテスト用ソフトウェアでテストを行うことが必要となる。
【００３２】
記録再生システムのテスト用ソフトウェアを用いたテストは、最新のバージョンのテスト用ソフトウェアを用いて行われ、この最新のバージョンのテスト用ソフトウェアは、メーカ装置３０やテストセンタ装置４０が管理装置２０よりダウンロードすることによって取得される。そして、取得されたテスト用ソフトウェアで記録再生装置５０や記録再生装置５０と接続されたテスト装置は、テスト用ソフトウェアを実行してテストを行うことになる。
【００３３】
なお、管理装置２０は、バージョンアップや不具合を修正するパッチファイルは、メーカ装置３０やテストセンタ装置４０にダウンロードされたときに、テスト用ソフトウェアに組み込むようにしても良く、また、記録再生装置のテスト用ソフトウェアにパッチファイルを組み込むようにしてもよい。
【００３４】
次に、管理機関が管理機関装置１０からテスト用ソフトウェアやパッチファイルをライセンス機関の管理装置２０にアップロードしてからこのテスト用ソフトウェア等を用いたテスト結果データをライセンス機関の管理装置２０が受信するまでの一連の手順について図５を参照して説明する。
【００３５】
先ず、管理機関装置１０は、ステップＳ１において、新しい規格が策定された場合、新しい規格に従ったテスト用ソフトウェアをライセンス機関の管理装置２０に送信する。また、管理機関装置１０は、配布済みのテスト用ソフトウェアをバージョンアップする場合や不具合を修正するためのパッチファイルを管理装置２０に送信する。
【００３６】
ステップＳ２において、ライセンス機関の管理装置２０は、第１の通信部２１で管理機関装置１０から送信されたテスト用ソフトウェアやパッチファイルを受信すると、ステップＳ３において、登録部２２で受信したテスト用ソフトウェアやパッチファイルの登録処理を行う。具体的に、登録部２２は、新たに受信したテスト用ソフトウェアやパッチファイルに対して登録番号を付与し、また、暗号キーを発生して、登録番号に関連づけて、テスト用ソフトウェアやパッチファイルや暗号キーを記憶部２３に保存する。
【００３７】
ステップＳ４において、管理機関装置１０は、管理機関装置１０に対して登録番号や暗号キーを報告のため送信し、管理機関装置１０は、ステップＳ５において、登録番号等を受信する。
【００３８】
ステップＳ６において、管理装置２０は、登録部２２による登録処理が完了すると、ホームページにおいて、新たにテスト用ソフトウェアやパッチファイルが出された旨を公表する。これにより、このホームページに対して、メーカのメーカ装置３０やテストセンタのテストセンタ装置４０がアクセス可能な状態になる。
【００３９】
ステップＳ７，８において、メーカ装置３０やテストセンタ装置４０は、管理装置２０がネットワーク２上で公表しているホームページにアクセスし、モニタ等に表示する。これにより、メーカやテストセンタの担当者は、ホームページを例えば定期的に閲覧するようにして、自分が該当するテスト用ソフトウェアやパッチファイルが公表されているかを知ることができる。メーカ装置３０やテストセンタ装置４０は、所定のテスト用ソフトウェアやパッチファイルが選択されると、選択されたテスト用ソフトウェアやパッチファイルのダウンロード要求を管理装置２０に対して送信する。
【００４０】
管理装置２０は、第２の通信部２４において、メーカ装置３０やテストセンタ装置４０から送信されたダウンロード要求を受信すると、ステップＳ９において、記憶部２３より所定のテスト用ソフトウェアやパッチファイル及び暗号キーを読み出し、暗号化したテスト用ソフトウェアやパッチファイルをメーカ装置３０やテストセンタ装置４０に対して送信する。そして、ステップＳ１０において、メーカ装置３０は、通信部３１で管理装置２０から送信されたテスト用ソフトウェアやパッチファイルを受信する。また、テストセンタ装置４０は、通信部３１は、管理装置２０から送信されたテスト用ソフトウェアやパッチファイルを受信する。
【００４１】
かくして、メーカやテストセンタでは、最新のテスト用ソフトウェアを所有できるようになる。そして、メーカでは、新たな規格に従った記録再生装置等のハードウェアのテストをダウンロードしたテスト用ソフトウェアを用いてテストを行うことになる。
【００４２】
すなわち、メーカにおいて、テスト対象となっている記録再生装置５０や記録再生装置５０のテストを行うテスト装置は、ＬＡＮ（Local Area Network）等のネットワークを介して、テスト用ソフトウェアをメーカ装置３０からダウンロード等する。そして、テスト用ソフトウェアで記録再生装置５０や記録再生装置５０と接続されたテスト装置は、ステップＳ１２において、テスト用ソフトウェアを実行してセルフテストを行うことになる。なお、メーカ装置３０は、記録再生装置５０を接続することで、記録再生装置５０のセルフテストを行うようにしてもよい。
【００４３】
セルフテストによるテスト結果データは、ステップＳ１３において、メーカ装置３０より確認テストのためテストセンタ装置４０にネットワーク２を介して送信される。
【００４４】
テストセンタでは、メーカより送信されたセルフテストのテスト結果データの確認テストを行うことになる。
【００４５】
すなわち、ステップＳ１４において、テストセンタ装置４０は、通信部３１で、メーカ装置３０かの通信部３１から送信されたテスト結果データを受信すると、次いで、ステップＳ１５において、確認テストを行うことになる。この確認テストは、メーカが行うセルフテストの追試であり、セルフテストと同様に行われる。すなわち、テストセンタにおいて、テスト用ソフトウェアで記録再生装置５０や記録再生装置５０と接続されたテスト装置は、ステップＳ１５において、テスト用ソフトウェアを実行して確認テストを行う。
【００４６】
そして、確認テストによるテスト結果データは、ステップＳ１６において、テストセンタ装置４０の通信部３１よりネットワーク２を介してライセンス機関の管理装置２０に送信される。
【００４７】
ライセンス機関の管理装置２０は、ステップＳ１７において、第２の通信部２４で、テストセンタ装置４０から送信されたテスト結果データを受信すると、ステップＳ１８において、格納部２５にテスト結果データを格納する。そして、ステップＳ１９において、管理装置２０の判定部２６は、受信したテストセンタ装置４０からのテスト結果データを用いて規格に準拠したものであるかどうかの合否判定を行う。そして、判定部２６は、ステップＳ２０において、合格のとき、第２の通信部２４よりメーカ装置３０に対して合格通知を送信し、不合格のとき、不合格通知をメーカ装置３０に対して送信する。
【００４８】
メーカ装置３０は、ステップＳ２１において、通信部３１で管理装置２０からの合格／不合格通知を受信する。かくして、メーカは、自分の製造した記録再生装置５０等のハードウェアが規格の条件を満たしているかどうかを知ることができる。
【００４９】
以上のように構成されたテストシステム１では、メーカ装置３０やテストセンタ装置４０からの要求に応じてネットワーク２を介してテスト用ソフトウェアやパッチファイルを送信するようにしたので、メーカやテストセンタにおいて、テスト用ソフトウェアの管理や取り扱いを容易にすることができる。また、このテストシステム１では、ライセンス機関が管理する管理装置２０において、テスト用ソフトウェアやテスト用ソフトウェアのパッチファイルが一元管理され、更に、電子ファイルでテスト用ソフトウェアやパッチファイルがメーカ装置３０やテストセンタ装置４０に配信されるので、メーカやテストセンタに届くまでの配送費やタイムラグを小さくすることができる。また、管理装置２０は、パッチファイルもホームページを公表して配信するので、メーカ装置３０やテストセンタ装置４０において、テスト用ソフトウェアのバージョンアップや不具合を短時間で直すことができる。更に、管理装置２０は、格納部２５にテストセンタ装置４０から送信されたテスト結果データを格納するようにしたので、テストセンタ装置４０の負荷を減らすことができると共に、テスト結果データも一元管理することができるようになる。更に、管理装置２０では、期間管理部２７を設けることで、レンタルで、メーカやテストセンタがテスト用ソフトウェアを使用することができる。
【図面の簡単な説明】
【００５０】
【図１】本発明が適用されたテスト用ソフトウェアのテストシステムを示す図である。
【図２】本発明が適用された管理装置のブロック図である。
【図３】上記テストシステムに用いられるメーカ装置やテストセンタ装置のブロックズである。
【図４】テスト対象となる記録再生装置のブロック図である。
【図５】本発明が適用されたテスト用ソフトウェアのテストシステムのフローチャートである。
【図６】従来のテスト用ソフトウェアのテストシステムを示す図である。
【符号の説明】
【００５１】
１  テストシステム、２  ネットワーク、１０  管理機関装置、２０  管理装置、２１  第１の通信部、２２  登録部、２３  記憶部、２４  第２の通信部、２５  格納部、２６  判定部、２７  期間管理部、３０  メーカ装置、３１  通信部、３２  暗号復号部、３３  メモリ、４０  テストセンタ装置、４０  メーカ装置、４０  テストセンタ装置、５０  記録再生装置、５１  光ディスクドライブ、５２  メモリ、５３  制御部
【図１】
2010026652.tif 000003
【図２】
2010026652.tif 000004
【図３】
2010026652.tif 000005
【図４】
2010026652.tif 000006
【図５】
2010026652.tif 000007
【図６】
2010026652.tif 000008